(57)【要約】【課題】ペン先突出状態においてノック体の摩擦部を用いて安定した摩擦操作が可能となる熱変色性筆記具を提供する。【解決手段】筆記体７の内部に熱変色性インキを収容する。筆記体７の前端に熱変色性インキが吐出可能なペン先７１を設ける。筆記体７を軸筒２内に前後方向に移動可能に収容する。軸筒２の後端孔２２から後方にノック体３を突出させる。軸筒２の側面に解除部６を設ける。ペン先没入状態からノック体３を前方に押圧することによりペン先７１を軸筒２の前端孔２１から突出状態にする。ペン先突出状態から解除部６を操作することよりペン先７１を軸筒２の前端孔２１から軸筒２内に没入状態にする。ノック体３の外面に、熱変色性インキの筆跡を摩擦しその際に生じる摩擦熱で前記熱変色性インキの筆跡を熱変色可能な摩擦部３３を形成する。【選択図】  図１
2011230449.tif 000002
【特許請求の範囲】
【請求項１】
筆記体の内部に熱変色性インキを収容し、前記筆記体の前端に前記熱変色性インキが吐出可能なペン先を設け、前記筆記体を軸筒内に前後方向に移動可能に収容し、前記軸筒の後端孔から後方にノック体を突出させ、前記軸筒の側面に解除部を設け、ペン先没入状態からノック体を前方に押圧することによりペン先を軸筒の前端孔から突出状態にし、前記ペン先突出状態から前記解除部を操作することによりペン先を軸筒の前端孔から軸筒内に没入状態にする出没機構を備え、前記ノック体の外面に、前記熱変色性インキの筆跡を摩擦しその際に生じる摩擦熱で前記熱変色性インキの筆跡を熱変色可能な摩擦部を形成したことを特徴とする熱変色性筆記具。
【請求項２】
前記解除部を軸筒の一箇所のみに設けた請求項１記載の熱変色性筆記具。
【請求項３】
前記解除部をクリップに設け、前記クリップを径方向外方に拡開操作することによりペン先を軸筒の前端孔から軸筒内に没入状態にする出没機構を備えた請求項１記載の熱変色性筆記具。
【発明の詳細な説明】
【技術分野】
【０００１】
本発明は、熱変色性筆記具に関する。詳細には、ペン先が軸筒の前端より出没する出没式の熱変色性筆記具に関する。
【背景技術】
【０００２】
特許文献１には、軸筒内に筆記体を前後方向に移動可能に収容し、軸筒の外面に操作部を設け、前記操作部を操作することにより前記筆記体のペン先を軸筒の前端孔から出没可能に構成し、前記筆記体の内部に熱変色性インキを収容し、前記筆記体の前端に前記熱変色性インキが吐出可能なペン先を設け、前記軸筒の外面に、前記熱変色性インキの筆跡を摩擦しその際に生じる摩擦熱で該筆跡を熱変色可能な摩擦部を設けた熱変色性筆記具が開示されている。
【０００３】
前記特許文献１は、軸筒後端の操作部（本願のノック体に相当）を前方に押圧するタイプにおいて操作部に摩擦部を設けた場合（特許文献１の図１２参照）、該摩擦部を用いて摩擦操作すると、被筆記面によって操作部が前方に移動し、安定した摩擦操作を行うことができないおそれがある。特に、ペン先突出操作及びペン先没入操作のいずれもが操作部を前方に押圧操作するタイプの出没機構（いわゆるダブルノック式）を採用し且つ操作部に摩擦部を設けた場合、ペン先突出状態において操作体が前後方向にがたつき、安定した摩擦操作を行うことができないおそれがある。
【先行技術文献】
【特許文献】
【０００４】
【特許文献１】国際公開第２００８／１０５２２７号パンフレット
【発明の概要】
【発明が解決しようとする課題】
【０００５】
本発明は、前記従来の問題点を解決するものであって、ペン先突出状態においてノック体の摩擦部を用いて安定した摩擦操作が可能となる熱変色性筆記具を提供しようとするものである。尚、本発明で、「前」とは、ペン先側を指し、「後」とは、その反対側を指す。尚、本発明で、「ペン先没入状態」とは、ペン先が軸筒内に没入した状態をいい、「ペン先突出状態」とは、ペン先が軸筒の前端より外部に突出した状態をいう。
【課題を解決するための手段】
【０００６】
［１］本願の第１の発明は、筆記体７の内部に熱変色性インキを収容し、前記筆記体７の前端に前記熱変色性インキが吐出可能なペン先７１を設け、前記筆記体７を軸筒２内に前後方向に移動可能に収容し、前記軸筒２の後端孔２２から後方にノック体３を突出させ、前記軸筒２の側面に解除部６を設け、ペン先没入状態からノック体３を前方に押圧することによりペン先７１を軸筒２の前端孔２１から突出状態にし、前記ペン先突出状態から前記解除部６を操作することによりペン先７１を軸筒２の前端孔２１から軸筒２内に没入状態にする出没機構を備え、前記ノック体３の外面に、前記熱変色性インキの筆跡を摩擦しその際に生じる摩擦熱で前記熱変色性インキの筆跡を熱変色可能な摩擦部３３を形成したことを要件とする。
【０００７】
前記第１の発明の熱変色性筆記具１は、軸筒２の後端孔２２から後方にノック体３を突出させ、軸筒２の側面に解除部６を設け、前記ノック体３の外面に、前記熱変色性インキの筆跡を摩擦しその際に生じる摩擦熱で前記熱変色性インキの筆跡を熱変色可能な摩擦部３３を形成したことにより、ペン先突出状態においてノック体３の前後方向のがたつきが防止され、ペン先突出状態においてノック体３の摩擦部３３を用いて安定した摩擦操作が可能となる。尚、前記第１の発明で、前記解除部６の操作は、例えば、径方向内方への押圧操作、径方向外方への引っ張り操作、前後方向もしくは周方向のスライド操作、または回転操作等が挙げられる。
【０００８】
［２］本願の第２の発明は、前記第１の発明の熱変色性筆記具１において、前記解除部６を軸筒２の一箇所のみに設けたことを要件とする。
【０００９】
前記第２の発明の熱変色性筆記具１は、前記解除部６を軸筒２の一箇所のみに設けたこと（即ち、解除部６が、軸筒２の側面に周状に形成されず、且つ、軸筒２の側面の複数個所に存在しないこと）により、摩擦部３３を用いた摩擦操作時に解除部６を不用意に操作することを回避できる。
【００１０】
［３］本願の第３の発明は、前記第１または２の発明の熱変色性筆記具１において、前記解除部６をクリップ５に設け、前記クリップ５を径方向外方に拡開操作することによりペン先７１を軸筒２の前端孔２１から軸筒２内に没入状態にする出没機構を備えたことを要件とする。
【００１１】
前記第３の発明の熱変色性筆記具１は、解除部６をクリップ５に設け、前記クリップ５を径方向外方に拡開操作することによりペン先７１を軸筒２の前端孔２１から軸筒２内に没入状態にする出没機構を備えたことにより、クリップ５を積極的に拡開操作しなければ、解除部６の操作ができないため、摩擦部３３を用いた摩擦操作時に、解除部６を不用意に操作することを回避できる。
【発明の効果】
【００１２】
本発明は、ペン先突出状態においてノック体の摩擦部を用いて安定した摩擦操作が可能となる熱変色性筆記具を提供できる。
【図面の簡単な説明】
【００１３】
【図１】本発明の第１の実施の形態のペン先没入状態を示す縦断面図である。
【図２】図１のペン先突出状態を示す縦断面図である。
【図３】本発明の第２の実施の形態のペン先没入状態を示す縦断面図である。
【図４】図３のペン先突出状態を示す縦断面図である。
【図５】熱変色性インキの変色挙動を示す説明図である。
【発明を実施するための形態】
【００１４】
＜第１の実施の形態＞
本発明の第１の実施の形態を図１及び図２に示す。
本実施の形態の熱変色性筆記具１は、軸筒２と、該軸筒２内に収容される筆記体７と、該筆記体７のペン先７１を軸筒２の前端孔２１より出没自在にさせる出没機構とを備える。
【００１５】
・軸筒
前記軸筒２は、先細円筒状の合成樹脂の成形体であり、１部材または複数の筒状体の連結により得られる。前記軸筒２の前端には前端孔２１が前後方向に貫設される。前記軸筒２の後端には、後端孔２２が前後方向に貫設される。前記軸筒２の後部側壁外面には、解除部６が突出する孔２３が１箇所のみに設けられる。
【００１６】
・筆記体
前記筆記体７は、ペン先７１と、該ペン先７１が前端開口部に圧入固着されたインキ収容管７２と、該インキ収容管７２内に充填される熱変色性インキと、該熱変色性インキの後端に充填され且つ該熱変色性インキの消費に伴い前進する追従体（例えば高粘度流体）とからなる。
【００１７】
・熱変色性インキ
前記熱変色性インキは、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００１８】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性顔料が好適に用いられる。
【００１９】
本実施の形態では、図５に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用される。図４において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００２０】
本実施の形態では、摩擦部３３の摩擦熱による前記熱変色性インキの変色温度は、２５℃〜９５℃（好ましくは３６℃〜９５℃）に設定される。即ち、本発明では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができるとともに、可逆熱変色性インキによる筆跡を摩擦部３３による摩擦熱で容易に変色することができる。
【００２１】
前記ペン先７１は、例えば、前端に回転可能にボールを抱持した金属製のボールペンのみからなる構成、または前記ボールペンチップの後部外面を保持した合成樹脂製のペン先ホルダーからなる構成のいずれであってもよい。また、前記インキ収容管７２の後端開口部に、インキ収容管７２と外部とが通気可能な通気孔を備えた尾栓を取り付けてもよい。
【００２２】
・出没機構
前記出没機構は、筆記体７の後端に当接配置され且つ軸筒２の後端より後方に突出するノック体３と、該ノック体３に係脱し且つ軸筒２の後部に収容配置される係止体４と、軸筒２内に収容され且つ筆記体７を後方に付勢する弾発体８とからなる。
【００２３】
・ノック体
前記ノック体３の中間部には係止突起３１が形成される。前記係止突起３１が、係止体４の係止片４１の前端に係止可能である。また、前記ノック体３の頂部外面（後端部外面）には、弾性材料よりなる摩擦部３３が設けられる。摩擦部３３は凸曲面状に形成される。前記摩擦部３３を用いて熱変色性インキの筆跡を摩擦することにより、その際に生じる摩擦熱で前記熱変色性インキの筆跡が熱変色可能である。
【００２４】
・係止体
前記係止体４は、コ字状の可撓性を有する部材である。前記係止体４は、合成樹脂または金属から形成される。前記係止体４の一体は、軸筒２内壁に固定され、前記係止体４の他端は、前記係止体４の他端は、径方向に変位可能である。前記係止体４の他端には、係止片４１と解除部６と規制部４２とが設けられる。
【００２５】
前記係止片４１の前端に、ペン先突出状態において、ノック体３の係止突起３１が係止される。前記規制部４２に、ペン先没入状態において、ノック体３の係止突起３１が係止される。前記規制部４２は、係止片４１の前端より後方に形成される。前記解除部６が軸筒２側壁の孔２３より外部に突出される。
【００２６】
・ペン先の出没
ペン先没入状態からノック体３を弾発体８による後方付勢に抗して前方に押圧操作すると、ノック体３の前端が筆記体７の後端を前方に押圧し、ペン先７１が前端孔２１より外部に突出される。このとき、前記ノック体３の係止突起３１が係止片４１の前端に係止することによって、ペン先突出状態が維持される。
【００２７】
ペン先突出状態から解除部６を径方向内方に押圧操作すると、係止片４１が内方に変位し、係止突起３１と係止片４１前端との係止状態が解除され、弾発体８による後方付勢により、筆記体７が後方に移動し、ペン先没入状態となる。前記係止突起３１は、係止体４の規制部４２に当接し、ペン先没入状態が維持される。
【００２８】
・摩擦部
前記摩擦部３３を構成する弾性材料（軟質材料）は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦部３３を構成する弾性を有する合成樹脂は、高摩耗性の弾性材料（例えば、消しゴム等）からなるものよりも、摩擦時に摩耗カス（消しカス）が殆ど生じない低摩耗性の弾性材料からなることが好ましい。
【００２９】
摩擦部３３をノック体３と別部材により構成するとともに、それを圧入、嵌着、係着、螺着、接着、溶着または２色成形による一体成形によりノック体３に設ける構成、または、ノック体３全体が摩擦部３３と共通の材料（合成樹脂）からなる構成でもよい。
【００３０】
本実施の形態の熱変色性筆記具１は、軸筒２の後端孔２２から後方にノック体３を突出させ、軸筒２の側面に解除部６を設け、前記ノック体３の外面に、前記熱変色性インキの筆跡を摩擦しその際に生じる摩擦熱で前記熱変色性インキの筆跡を熱変色可能な摩擦部３３を形成したことにより、ペン先突出状態においてノック体３の前後方向のがたつきが防止され、ペン先突出状態においてノック体３の摩擦部３３を用いて安定した摩擦操作が可能となる。
【００３１】
本実施の形態の熱変色性筆記具１は、前記解除部６を軸筒２の一箇所のみに設けたこと（即ち、解除部６が、軸筒２の側面に周状に形成されず、且つ、軸筒２の側面の複数個所に存在しないこと）により、摩擦部３３を用いた摩擦操作時に解除部６を不用意に操作することを回避できる。
【００３２】
＜第２の実施の形態＞
本発明の第２の実施の形態を図３及び図４に示す。
本実施の形態の熱変色性筆記具１は、軸筒２と、該軸筒２内に収容される筆記体７と、該筆記体７のペン先７１を軸筒２の前端孔２１より出没自在にさせる出没機構とを備える。
【００３３】
・軸筒
前記軸筒２は、先細円筒状の合成樹脂の成形体であり、１部材または複数の筒状体の連結により得られる。前記軸筒２の前端には前端孔２１が前後方向に貫設される。前記軸筒２の後端には、後端孔２２が前後方向に貫設される。前記軸筒２の後部側壁外面には、クリップ５が１箇所のみに設けられる。前記クリップ５の挟持突部５２には、係止孔５３が設けられる。前記クリップ５の挟持突部５２の径方向内方の軸筒２の側壁外面には、係止凸部３２が突出するスライド孔２４が設けられる。
【００３４】
・筆記体
前記筆記体７は、ペン先７１と、該ペン先７１が前端開口部に圧入固着されたインキ収容管７２と、該インキ収容管７２内に充填される熱変色性インキと、該熱変色性インキの後端に充填され且つ該熱変色性インキの消費に伴い前進する追従体（例えば高粘度流体）とからなる。
【００３５】
・熱変色性インキ
前記熱変色性インキは、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００３６】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性顔料が好適に用いられる。
【００３７】
本実施の形態では、図５に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用される。図４において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００３８】
本実施の形態では、摩擦部３３の摩擦熱による前記熱変色性インキの変色温度は、２５℃〜９５℃（好ましくは３６℃〜９５℃）に設定される。即ち、本発明では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができるとともに、可逆熱変色性インキによる筆跡を摩擦部３３による摩擦熱で容易に変色することができる。
【００３９】
前記ペン先７１は、例えば、前端に回転可能にボールを抱持した金属製のボールペンのみからなる構成、または前記ボールペンチップの後部外面を保持した合成樹脂製のペン先ホルダーからなる構成のいずれであってもよい。また、前記インキ収容管７２の後端開口部に、インキ収容管７２と外部とが通気可能な通気孔を備えた尾栓を取り付けてもよい。
【００４０】
・出没機構
前記出没機構は、筆記体７の後端に当接配置され且つ軸筒２の後端より後方に突出するノック体３と、該ノック体３に係脱し且つ軸筒２の後部側壁に設けられるクリップ５と、軸筒２内に収容され且つ筆記体７を後方に付勢する弾発体８とからなる。
【００４１】
・ノック体
前記ノック体３の前端部には径方向外方に突出する係止凸部３２が形成される。前記係止凸部３２が、軸筒２側壁のスライド孔２４より径方向外方に突出される。前記係止凸部３２は、前記軸筒２側壁のスライド孔２４に沿って前後方向に移動可能である。前記係止凸部３２は、クリップ５の挟持突部５２の係止孔５３に係止可能である。また、前記ノック体３の後端部外面には、弾性材料よりなる摩擦部３３が設けられる。摩擦部３３の頂部（後端部）は凸曲面状に形成される。前記摩擦部３３を用いて熱変色性インキの筆跡を摩擦することにより、その際に生じる摩擦熱で前記熱変色性インキの筆跡が熱変色可能である。
【００４２】
・クリップ５
前記クリップ５は、クリップ本体５１と、該クリップ本体５１の前端の径方向内方に突出する挟持突部５２と、クリップ本体５１と軸筒２の後端部側壁とを接続する基部５４と、該基部５４から後方に突出し且つクリップ本体５１の後端部に設けた解除部６とからなる。前記クリップ５は、合成樹脂または金属から形成される。前記解除部６を径方向内方に押圧すると、クリップ本体５１が拡開変形し、挟持突部５２が径方向外方に変位する。
【００４３】
・ペン先の出没
ペン先没入状態からノック体３を弾発体８による後方付勢に抗して前方に押圧操作すると、ノック体３の前端が筆記体７の後端を前方に押圧し、ノック体３の係止凸部３２がスライド孔２４に沿って前方に移動し、ペン先７１が前端孔２１より外部に突出される。このとき、前記ノック体３の係止凸部３２が、前記クリップ５の挟持突部５２の係止孔５３に係止することによって、ペン先突出状態が維持される。
【００４４】
ペン先突出状態から解除部６を径方向内方に押圧操作すると、挟持突部５２が径方向外方に変位し、係止孔５３と係止凸部３２との係止状態が解除され、弾発体８による後方付勢により、筆記体７が後方に移動し、ペン先没入状態となる。前記係止凸部３２は、スライド孔２４に沿って後方に移動し、該スライド孔２４の後端に当接し、ペン先没入状態が維持される。
【００４５】
・摩擦部
前記摩擦部３３を構成する弾性材料（軟質材料）は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦部３３を構成する弾性を有する合成樹脂は、高摩耗性の弾性材料（例えば、消しゴム等）からなるものよりも、摩擦時に摩耗カス（消しカス）が殆ど生じない低摩耗性の弾性材料からなることが好ましい。
【００４６】
摩擦部３３をノック体３と別部材により構成するとともに、それを圧入、嵌着、係着、螺着、接着、溶着または２色成形による一体成形によりノック体３に設ける構成、または、ノック体３全体が摩擦部３３と共通の材料（合成樹脂）からなる構成でもよい。
【００４７】
本実施の形態の熱変色性筆記具１は、軸筒２の後端孔２２から後方にノック体３を突出させ、軸筒２の側面に解除部６を設け、前記ノック体３の外面に、前記熱変色性インキの筆跡を摩擦しその際に生じる摩擦熱で前記熱変色性インキの筆跡を熱変色可能な摩擦部３３を形成したことにより、ペン先突出状態においてノック体３の前後方向のがたつきが防止され、ペン先突出状態においてノック体３の摩擦部３３を用いて安定した摩擦操作が可能となる。
【００４８】
本実施の形態の熱変色性筆記具１は、前記解除部６を軸筒２の一箇所のみに設けたこと（即ち、解除部６が、軸筒２の側面に周状に形成されず、且つ、軸筒２の側面の複数個所に存在しないこと）により、摩擦部３３を用いた摩擦操作時に解除部６を不用意に操作することを回避できる。
【００４９】
本実施の形態の熱変色性筆記具１は、解除部６をクリップ５に設け、前記クリップ５を径方向外方に拡開操作することによりペン先７１を軸筒２の前端孔２１から軸筒２内に没入状態にする出没機構を備えたことにより、クリップ５を積極的に拡開操作しなければ、解除部６の操作ができないため、摩擦部３３を用いた摩擦操作時に、解除部６を不用意に操作することを回避できる。
【符号の説明】
【００５０】
１  熱変色性筆記具
２  軸筒
２１  前端孔
２２  後端孔
２３  孔
２４  スライド孔
３  ノック体
３１  係止突起
３２  係止凸部
３３  摩擦部
４  係止体
４１  係止片
４２  規制部
５  クリップ
５１  クリップ本体
５２  挟持突部
５３  係止孔
５４  基部
６  解除部
７  筆記体
７１  ペン先
７２  インキ収容管
８  弾発体
【図１】
2011230449.tif 000003
【図２】
2011230449.tif 000004
【図３】
2011230449.tif 000005
【図４】
2011230449.tif 000006
【図５】
2011230449.tif 000007